(57)【要約】【課題】両吸込み遠心ファンの２つの吸い込みケーシングの入口ダンパを２つの駆動装置で均等に開閉すること。【解決手段】第１駆動装置（４０）で回転駆動される第１駆動軸（４３）に第１、２吸い込みケーシング（１０，２０）の第１、２入口ダンパ（１２ａ、２２ａ）が固定され、第１入口ダンパ（１２ｃ，１２ｅ）は連動部材（１４）で第１入口ダンパ（１２ａ）と、第２入口ダンパ（２２ｃ，２２ｅ）は連動部材（２４）で第２入口ダンパ（２２ａ）と連動する。第２駆動装置（５０）で回転駆動される第２駆動軸（５３）に第２、１入口ダンパ（２２ｂ、１２ｂ）が固定され、第２入口ダンパ（２２ｄ，２２ｆ）は連動部材（２５）で第２入口ダンパ（２２ｂ）と、第１入口ダンパ（１２ｄ，１２ｆ）は連動部材（１５）で第１入口ダンパ（１２ｂ）と連動する。【選択図】　　　図１
2004027954.tif 000002
【特許請求の範囲】
【請求項１】
遠心ファンの取り付け軸方向の両側から吸い込みをおこなう両吸い込み遠心ファンであって、
遠心ファンを覆うファンケーシングであって、ファンの取り付け軸の一方の側に形成された第１の吸い込み口と、他方の側に形成された第２の吸い込み口と、遠心方向に形成された吐出口とを有するファンケーシングと、
ファンケーシングの第１の吸い込み口側に配設され第１の吸い込み口側に導入される空気量を調整する第１吸い込みケーシング、および、ファンケーシングの第２の吸い込み口側に配設され第２の吸い込み口に導入される空気量を調整する第２吸い込みケーシングと、を具備し、
第１吸い込みケーシングの入口に複数の第１入口ダンパが付設され、第２吸い込みケーシングの入口に複数の第２入口ダンパが付設され、
第１入口ダンパの半数と第２入口ダンパの半数が第１吸い込みケーシングに近接して配置される第１駆動装置で開閉せしめられ、第１入口ダンパの残りの半数と第２入口ダンパの残りの半数が第２吸い込みケーシングに近接して配置される第２駆動装置で開閉せしめられる、
ことを特徴とする両吸い込み遠心ファン。
【請求項２】
複数の第１入口ダンパの内、第１駆動装置で開閉される第１入口ダンパと第２駆動装置で開閉される第１入口ダンパが交互に配設され、
複数の第２入口ダンパの内、第１駆動装置で開閉される第２入口ダンパと第２駆動装置で開閉される第２入口ダンパが交互に配設されている、
ことを特徴とする請求項１に記載の両吸い込みファン。
【請求項３】
第１駆動装置がリンク機構を介して第１駆動軸を回転駆動し、第１駆動軸に複数の第１入口ダンパの内の１つと複数の第２入口ダンパの内の１つが固定され、第１駆動装置で開閉される第１入口ダンパの内の残りの入口ダンパは第１駆動軸に固定された第１入口ダンパに連動部材で結合されて開閉され、第１駆動装置で開閉される第２入口ダンパの内の残りの入口ダンパは第１駆動軸に固定された第２入口ダンパに連動部材で結合されて開閉され、
第２駆動装置がリンク機構を介して第２駆動軸を回転駆動し、第２駆動軸に複数の第２入口ダンパの内の１つと複数の第１入口ダンパの内の１つが固定され、第２駆動装置で開閉される第２入口ダンパの内の残りの入口ダンパは第２駆動軸に固定された第２入口ダンパに連動部材で結合されて開閉され、第２駆動装置で開閉される第１入口ダンパの内の残りの入口ダンパは第２駆動軸に固定された第１入口ダンパに連動部材で結合されて開閉される、
ことを特徴とする請求項１に記載の両吸い込みファン。
【発明の詳細な説明】
【０００１】
【発明の属する技術分野】
本発明は遠心ファンに関し、特にファンの取り付け軸の両側から吸い込みをおこなう両吸い込み遠心ファンに関する。
【０００２】
【従来の技術】
ファンの軸方向の両側から吸い込みをおこなう両吸込み遠心ファンが各種用途に使用されている。例えば、発電所等の大型プラントにおける送風、排気、集塵等に利用されている。
図５に示すのは、従来の両吸込み遠心ファンの一例であって、ファンケーシング３０の第１の吸い込み口３１の側に第１吸い込みケーシング１０が配設され、第２の吸い込み口３２の側に第２吸い込みケーシング２０が配設されている。第１吸い込みケーシング１０の入口１１には複数の第１入口ダンパ１２ａ〜１２ｆが配設され、第２吸い込みケーシング２０の入口２１には複数の第２入口ダンパ２２ａ〜２２ｆが配設されている。
【０００３】
そして、第１吸い込みケーシング１０に近接して配設された第１駆動装置４０により第１リンク機構４２を介して回転駆動される第１駆動軸４３が第１吸い込みケーシング４０を貫通し、ファンケーシング３０の上を通り、第２吸い込みケーシング５０を貫通している。第１入口ダンパ１２ａと第２入口ダンパ２２ａが第１駆動軸４３に連結され、第１入口ダンパ１２ｂ〜１２ｆは第１入口ダンパ１２ａと同角度で動くように図示しない連動部材で連結され、第２入口ダンパ２２ｂ〜２２ｆも第２入口ダンパ２２ａと同角度で動くように図示しない連動部材で連結されている。したがって、１台の第１駆動装置４０で第１入口ダンパ１２ａ〜１２ｆと第２入口ダンパ２２ａ〜２２ｆのすべてを開閉しているのである。
【０００４】
ところが、現在の大型プラントでも第１吸い込みケーシング１０の入口１１、第２吸い込みケーシング２０の入口２１は、それぞれ、数平方ｍの面積を有しており、第１駆動軸４３には大きな捻りトルクがかかり高い強度が要求され、第１駆動装置４０にも大きな出力が求められている。
【０００５】
そこで、さらに大型のプラントに対応できるように、図６に示すように、ファンケーシング３０の第２吸い込みケーシング２０の側に第２駆動装置５０を備え、第２入口ダンパ２２ａ〜２２ｆを第２駆動装置５０により第２リンク機構５２を介して回転駆動される第２駆動軸５３で開閉するものが開発されている。すなわち、第１吸い込みケーシング１０の入口１１の第１入口ダンパ１２ａ〜１２ｆと第２吸い込みケーシングの入口２１の第２入口ダンパ２２ａ〜２２ｆを独立に開閉するものである。
【０００６】
このようにすることにより図５のものに比べれば小さな駆動装置を使用でき、また駆動軸の強度もそれほど高くなくてもよい。しかし、このように第１吸い込みケーシング１０の入口１１と第２吸い込みケーシングの入口２１を独立に開閉すると、両者の開度差により流量の差が生じ、性能低下、及び軸方向へのスラスト力増加による軸受損傷、振動発生等の懸念があった。
【０００７】
【発明が解決しようとする課題】
本発明は上記問題に鑑み、両吸込み遠心ファンの２つの吸い込みケーシングのダンパ入口ダンパを２つの駆動装置で均等に開閉することを目的とする。
【０００８】
【課題を解決するための手段】
請求項１の発明によれば、遠心ファンの取り付け軸方向の両側から吸い込みをおこなう両吸い込み遠心ファンであって、
遠心ファンを覆うファンケーシングであって、ファンの取り付け軸の一方の側に形成された第１の吸い込み口と、他方の側に形成された第２の吸い込み口と、遠心方向に形成された吐出口とを有するファンケーシングと、
ファンケーシングの第１の吸い込み口側に配設され第１の吸い込み口側に導入される空気量を調整する第１吸い込みケーシング、および、ファンケーシングの第２の吸い込み口側に配設され第２の吸い込み口に導入される空気量を調整する第２吸い込みケーシングと、を具備し、
第１吸い込みケーシングの入口に複数の第１入口ダンパが付設され、第２吸い込みケーシングの入口に複数の第２入口ダンパが付設され、
第１入口ダンパの半数と第２入口ダンパの半数が第１吸い込みケーシングに近接して配置される第１駆動装置で開閉せしめられ、第１入口ダンパの残りの半数と第２入口ダンパの残りの半数が第２吸い込みケーシングに近接して配置される第２駆動装置で開閉せしめられる、ことを特徴とする両吸い込み遠心ファンが提供される。
【０００９】
このように構成される両吸い込みファンでは、第１駆動装置が第１吸い込みケーシングの複数の第１入口ダンパの半数と第２吸い込みケーシングの複数の第２入口ダンパの半数を開閉し、第２駆動装置が第１吸い込みケーシングの複数の第１入口ダンパの残りの半数と第２吸い込みケーシングの複数の第２入口ダンパの残りの半数を開閉するので、第１吸い込みケーシングの入口と第２吸い込みケーシングの入口が均等に開閉される。
【００１０】
請求項２の発明によれば、請求項１の発明において、複数の第１入口ダンパの内、第１駆動装置で開閉される第１入口ダンパと第２駆動装置で開閉される第１入口ダンパが交互に配設され、複数の第２入口ダンパの内、第１駆動装置で開閉される第２入口ダンパと第２駆動装置で開閉される第２入口ダンパが交互に配設されている、ことを特徴とする両吸い込みファンが提供される。
【００１１】
請求項３の発明によれば、請求項１の発明において、第１駆動装置がリンク機構を介して第１駆動軸を回転し、第１駆動軸に複数の第１入口ダンパの内の１つと複数の第２入口ダンパの内の１つが固定され、第１駆動装置で開閉される第１入口ダンパの内の残りの入口ダンパは第１駆動軸に固定された第１入口ダンパに連動部材で結合されて開閉され、第１駆動装置で開閉される第２入口ダンパの内の残りの入口ダンパは第１駆動軸に固定された第２入口ダンパに連動部材で結合されて開閉され、
第２駆動装置がリンク機構を介して第２駆動軸を回転し、第２駆動軸に複数の第２入口ダンパの内の１つと複数の第１入口ダンパの内の１つが固定され、第２駆動装置で開閉される第２入口ダンパの内の残りの入口ダンパは第２駆動軸に固定された第２入口ダンパに連動部材で結合されて開閉され、第２駆動装置で開閉される第１入口ダンパの内の残りの入口ダンパは第２駆動軸に固定された第１入口ダンパに連動部材で結合されて開閉される、ことを特徴とする両吸い込みファンが提供される。
【００１２】
【発明の実施の形態】
以下、図１を参照して本発明による両吸い込み遠心ファンの実施の形態の詳細を説明する。
ファンケーシング３０の第１の吸い込み口３１（図４参照）の側に第１吸い込みケーシング１０が配設され、第２の吸い込み口３２（図４参照）の側に第２吸い込みケーシング２０が配設されている。第１吸い込みケーシング１０の入口１１には複数の第１入口ダンパ１２ａ〜１２ｆが配設され、第２吸い込みケーシング２０の入口２１には複数の第２入口ダンパ２２ａ〜２２ｆが配設されている。そして、ファンケーシング３０の外側には第１駆動装置４０が配設され、第２の外側には第２駆動装置５０が配設されている。
【００１３】
ファンケーシング３０内には軸１１０に結合された複数のファンブレード１００（２枚のみ示す）が回転可能に配設されており、軸１１０は第２吸い込みケーシング２０の内部を通って外部まで延伸し、伝達装置１２０を介して電動モータ１３０に結合され、モータ１３０により回転駆動される。
【００１４】
ファンブレード１００がモータ１３０により回転駆動されると、第１吸い込みケーシング１０の第１入口ダンパ１２ａ〜１２ｆで開度調整された入口１１、第２吸い込みケーシング２０の第２入口ダンパ２２ａ〜２２ｆで開度調整された入口２１から空気が取り込まれ、それぞれ、ファンケーシング３０の第１吸い込み口３１、第２吸い込み口３２からファンケーシング３０内に入り、ファンブレード１００で加圧されて、ファンケーシング３０の出口３３から排出される。
【００１５】
以下、第１吸い込みケーシング１０の第１入口ダンパ１２ａ〜１２ｆ、第２吸い込みケーシング２０の第２入口ダンパ２２ａ〜２２ｆの開度調整の機構について説明する。
第１駆動装置４０の軸４１に第１リンク機構４２の一方の端部が固定され、第１リンク機構４２の他方の端部には第１駆動軸４３が固定されている。第１駆動軸４５は第１吸い込みケーシング１０を貫通し、ファンケーシング３０の上を通り、さらに、第２吸い込みケーシング２０を貫通し、第２吸い込みケーシング２０の外側壁２３の外側まで達している。
【００１６】
第１駆動軸４３には第１吸い込みケーシング１０の領域において第１入口ダンパ１２ａが固定され、第２吸い込みケーシング２０の領域において第２入口ダンパ２２ａが固定されている。そして、第１入口ダンパ１２ａ，１２ｃ，１２ｅの各同じ場所にピン１３ａ，１３ｃ，１３ｅが取り付けられ、各ピンに連動部材１４の図示しない３つの穴が緩く係合している。同様に、第２入口ダンパ２２ａ，２２ｃ，２２ｅの同じ場所にピン２３ａ，２３ｃ，２３ｅが取り付けられ、各ピンに連動部材２４の図示しない３つの穴が緩く係合している。
【００１７】
したがって、第１駆動軸４３が第１リンク機構４１を介して第１駆動装置４０により回転駆動されると、第１吸い込みケーシング１０の第１入口ダンパ１２ａ，１２ｃ，１２ｅと第２吸い込みケーシング２０の第２入口ダンパ２２ａ，２２ｃ，２２ｅが互いに等しい角度だけ回転する。
【００１８】
同様に、第２駆動装置５０の軸５１に第２リンク機構５２の一方の端部が固定され、第２リンク機構５２の他方の端部には第２駆動軸５３が固定されている。第２駆動軸５３は第２吸い込みケーシング２０を貫通し、ファンケーシング３０の上を通り、さらに、第１吸い込みケーシング１０を貫通し、第１吸い込みケーシング１０の外側壁１３の外側まで達している。
【００１９】
そして、第２駆動軸５３には第２吸い込みケーシング２０の領域において第２入口ダンパ２２ｂが固定され、第１吸い込みケーシング１０の領域において第１入口ダンパ１２ｂが固定され、第２入口ダンパ２２ｂ，２２ｄ，２２ｆの各同じ場所にピン２３ｂ，２３ｄ，２３ｆが取り付けられ、各ピンに連動部材２５の図示しない３つの穴が緩く係合している。また、第１入口ダンパ１２ｂ，１２ｄ，１２ｆの各同じ場所にピン１３ｂ，１３ｄ，１３ｆが取り付けられ、各ピンに連動部材１５の図示しない３つの穴が緩く係合している。
【００２０】
したがって、第２駆動軸５３が第２リンク機構５１を介して第２駆動装置５０により回転駆動されると、第２吸い込みケーシング２０の第２入口ダンパ２２ｂ，２２ｄ，２２ｆと第１吸い込みケーシング１０の第１入口ダンパ１２ｂ，１２ｄ，１２ｆが互いに等しい角度だけ回転する。
【００２１】
すなわち、第１駆動装置４０により第１入口ダンパ１２ａ〜１２ｆの半分と第２入口ダンパ２２ａ〜２２ｆの内の半分が同時に同角度だけ回転駆動され、第２駆動装置５０により第１入口ダンパ１２ａ〜１２ｆの残りの半分と第２入口ダンパ２２ａ〜２２ｆの内の残りの半分が同時に同角度だけ回転駆動され駆動される。
【００２２】
なお、この実施の形態では第１駆動軸４３、第２駆動軸５３は一体のものとして示されているが分割して製作した後に連結する構造としてもよい。
なお、第１入口ダンパ１２ｃ，１２ｄ，１２ｅ，１２ｆは、それぞれ、第１駆動軸４３、第２駆動軸５３よりも細い軸１６ｃ，１６ｄ，１６ｅ，１６ｆに取り付けられ、軸１６ｃ，１６ｄ，１６ｅ，１６ｆはそれぞれ第１吸い込みケーシング１０の壁により回転可能に支持され、同様に、第２入口ダンパ２２ｃ，２２ｄ，２２ｅ，２２ｆは、それぞれ、第１駆動軸４３、第２駆動軸５３よりも細い軸２６ｃ，２６ｄ，２６ｅ，２６ｆに取り付けられ、軸２６ｃ，２６ｄ，２６ｅ，２６ｆはそれぞれ第２吸い込みケーシング２０の壁により回転可能に支持されている。
【００２３】
図２は、入口ダンパ間の連動がわかるように、例として、第１入口ダンパ１２ａ，１２ｃ，１２ｅを完全閉状態にし、第１入口ダンパ１２ｂ，１２ｄ，１２ｆを完全開状態にしたときの様子を示したものである。もちろん、両グループとも閉にしたり、両グループとも開にしたり、両グループとも同じ中間開度にすることもできる。
【００２４】
図３は第１リンク機構４２の動きを説明する図であるが、第２リンク機構５２も同じである。第１駆動装置４０、第２駆動装置５０は内部に第１駆動軸４３、第２駆動軸５３を回転させるための駆動手段を有する。駆動手段は図示しないが、例えば、油圧を利用した装置とされるが、電動モータ等のその他の手段でもよい。
図４は本発明の実施の形態を図５、図６と同様に斜視図で示したものである。
【００２５】
【発明の効果】
各請求項に記載の発明による両吸い込み遠心ファンでは、第１吸い込みケーシングの入口に付設される複数の第１入口ダンパの半数と第２吸い込みケーシングの入口に付設される複数の第２入口ダンパの半数が第１吸い込みケーシングに近接して配置される第１駆動装置で開閉せしめられ、第１入口ダンパの残りの半数と第２入口ダンパの残りの半数が第２吸い込みケーシングに近接して配置される第２駆動装置で開閉せしめられるので、第１吸い込みケーシングの入口と第２吸い込みケーシングの入口が均等に開閉される。したがって、ファンの両方の吸い込み口に均等な空気が導入され、性能の低下およびスラスト力の発生による軸受損傷、振動の発生を回避することが出来る。
特に、請求項２の発明のように、複数の第１入口ダンパの内、第１駆動装置で開閉される第１入口ダンパと第２駆動装置で開閉される第１入口ダンパを交互に配設し、複数の第２入口ダンパの内、第１駆動装置で開閉される第２入口ダンパと第２駆動装置で開閉される第２入口ダンパを交互に配設すれば、一方の駆動装置で第１入口ダンパと第２入口ダンパの半数を閉にし、他方の駆動装置で第１入口ダンパと第２入口ダンパの半数を開にするような場合でも、開にされるダンパが、第１吸い込みケーシングの入口、第２吸い込みケーシングの入口の一部に偏ることがない、したがって、より均等性が向上する。
【図面の簡単な説明】
【図１】本発明の両吸い込み遠心ファンの実施の形態の構成を示す上面図である。
【図２】図１の両吸い込み遠心ファンの入口ダンパ間の連動を説明する図である。
【図３】図１の両吸い込み遠心ファンのリンク機構の動きを示す図である。
【図４】図１の両吸い込み遠心ファンの構成を示す斜視図である。
【図５】従来技術の両吸い込み遠心ファンの構成を示す斜視図である。
【図６】別の従来技術の両吸い込み遠心ファンの構成を示す斜視図である。
【符号の説明】
１０…第１吸い込みケーシング
１１…（第１吸い込みケーシングの）入口
１２ａ〜１２ｆ…（第１吸い込みケーシングの）ダンパ入口ダンパ
２０…第２吸い込みケーシング
２１…（第２吸い込みケーシングの）入口
２２ａ〜２２ｆ…（第２吸い込みケーシングの）入口ダンパ
３０…ファンケーシング
３１…第１吸い込み口
３２…第２吸い込み口
４０…第１駆動装置
４２…第１リンク機構
４３…第１駆動軸
５０…第１駆動装置
５２…第１リンク機構
５３…第２駆動軸
【図１】
2004027954.tif 000003
【図２】
2004027954.tif 000004
【図３】
2004027954.tif 000005
【図４】
2004027954.tif 000006
【図５】
2004027954.tif 000007
【図６】
2004027954.tif 000008